(57)【特許請求の範囲】
【請求項１】
第１コネクタハウジングと、
前記第１コネクタハウジングに嵌合及び離脱する第２コネクタハウジングと、
前記第２コネクタハウジングに回転可能に設けられ、且つ、第１操作位置とコネクタ嵌合操作位置との間の回転によって前記第２コネクタハウジングと前記第１コネクタハウジング間に嵌合力及び離脱力を作用させ、コネクタ嵌合操作位置から第２操作位置まで回転するレバーと、
前記第１コネクタハウジングと前記第２コネクタハウジングにそれぞれメイン端子が設けられ、前記レバーの第１操作位置ではオフ状態で、且つ、前記レバーのコネクタ嵌合操作位置及び第２操作位置ではオン状態とされるメイン回路スイッチと、
前記第１コネクタハウジングと前記レバーにそれぞれ信号端子が設けられ、前記レバーの第１操作位置及びコネクタ嵌合操作位置ではオフ状態で、且つ、前記レバーの第２操作位置ではオン状態とされる信号回路スイッチと、
前記レバーを第２操作位置でロックする第１ロック部と、
前記レバーをコネクタ嵌合操作位置でロックする第２ロック部と、
前記第２のロック部のロック状態を解除するロック解除操作部と、
前記第２操作位置において前記ロック解除操作部を前記第２ロック部のロック状態の解除方向と同方向に操作すると前記ロック解除操作部に当接することで前記レバーの回動を規制する回動規制部と、
を備えたことを特徴とする電源回路遮断装置。
【請求項２】
請求項１に記載の電源回路遮断装置であって、
前記回動規制部は、更に前記レバーの第２操作位置において前記ロック解除操作部を前記第２ロック部のロック状態の解除方向と同方向へ操作した際に前記ロック解除操作部に当接して、前記ロック解除操作部の、前記第２ロック部のロック状態を解除可能な位置であるロック解除位置への移動を阻止するとともに、前記ロック解除操作部の過大変位を防止する過大変位防止片を備え、かつ、前記レバーのコネクタ嵌合操作位置では、前記ロック解除操作部のロック解除位置への移動を許容することを特徴とする電源回路遮断装置。
【請求項３】
請求項２記載の電源回路遮断装置であって、
前記ロック解除操作部は、前記第２のコネクタハウジングから突出した弾性アームと、この弾性アームに設けられた係止部とを備えて構成され、前記ロック解除位置との間で変位可能であり、
前記第２ロック部は、前記係止部と、前記レバーに設けられた被係止部とで構成されており、
前記回動規制部は、前記レバーの前記被係止部に対して前記ロック解除操作部を挟んで反対側に設けられていることを特徴とする電源回路遮断装置。
【発明の詳細な説明】
【技術分野】
【０００１】
本発明は、レバー付きのコネクタハウジング間の嵌合・離脱によって電源回路の接続・遮断を行う電源回路遮断装置に関する。
【背景技術】
【０００２】
例えば電気自動車、ハイブリッド車にあっては、電気系統のメンテナンス等での作業安全性を確保するため、電源部と負荷間の通電を遮断できる電源回路遮断装置（サービスプラグ）が搭載される。この種の従来の電源回路遮断装置として、特許文献１に開示されたものがある。
【０００３】
この電源回路遮断装置１００は、図１３〜図１５に示すように、第１コネクタハウジング１０１と、第１コネクタハウジング１０１に嵌合及び離脱する第２コネクタハウジング１１０と、第２コネクタハウジング１１０に回転及びスライド可能に設けられ、且つ、回転によって第２コネクタハウジング１１０と第１コネクタハウジング１０１間に嵌合力や離脱力を作用させるレバー１２０とを備えている。
【０００４】
第１コネクタハウジング１０１の両側面には、一対のカムピン１０２が突設されている。第１コネクタハウジング１０１には、一方のメイン端子（図示せず）と一方の信号端子（図示せず）がそれぞれ設けられている。一方のメイン端子（図示せず）は、コネクタ嵌合室内に配置されている。一方の信号端子（図示せず）は、外部フード部１０４内に配置されている。
【０００５】
第２コネクタハウジング１１０の両側面には、一対の支持軸１１１が突設されている。第２コネクタハウジング１１０には、他方のメイン端子（図示せず）が設けられている。
【０００６】
レバー１２０の両側面には、一対の支持軸受け溝１２１が形成されている。支持軸受け溝１２１は、支持軸１１１の回転を支持する回転支持部１２１ａと、これに連通し、支持軸１１１のスライド移動を支持するスライド支持部１２１ｂとから構成されている。これにより、レバー１２０は、第２コネクタハウジング１１０に回転及びスライド自在に支持されている。レバー１２０の両側面には、一対のカム溝１２２が設けられている。各カム溝１２２は、回転支持部１２１ａからの距離を徐々に変化させる曲線部１２２ａと、これに連通し、スライド支持部１２１ｂに平行に延びるストレート部１２２ｂとから構成されている。この一対のカム溝１２２に第１コネクタハウジング１０１のカムピン１０２が挿入される。レバー１２０の側面部には、他方の信号端子（図示せず）が収容されたコネクタ１０４が配置されている。他方の信号端子（図示せず）は、フード部１２４内に配置されている。
【０００７】
双方のメイン端子（図示せず）によってメイン回路スイッチ（図示せず）が構成されている。双方の信号端子（図示せず）によって信号回路スイッチ（図示せず）が構成されている。
【０００８】
上記構成において、電源回路遮断装置１００の電源導通動作を説明する。図１３に示すように、レバー１２０を第１操作位置とした第２コネクタハウジング１１０を第１コネクタハウジング１０１のコネクタ嵌合室（図示せず）に挿入すると共に、レバー１２０のカム溝１２２の入口にカムピン１０２を挿入する。双方のコネクタハウジング１０１，１１０間はコネクタ仮嵌合状態となる。
【０００９】
レバー１２０を第１操作位置から第２操作位置側に回転する。すると、カムピン１０２がカム溝１２２内を移動し、第２コネクタハウジング１１０と第１コネクタハウジング１０１間に嵌合力が作用して第２コネクタハウジング１１０が第１コネクタハウジング１０１のコネクタ嵌合室に徐々に挿入される。
【００１０】
図１４に示すように、レバー１２０をコネクタ嵌合操作位置まで回転すると、第１コネクタハウジング１０１と第２コネクタハウジング１１０間は、完全嵌合状態となる。双方のメイン端子（図示せず）間は、コネクタ嵌合操作位置までの過程で徐々に接触し、コネクタ嵌合操作位置では接触状態となる。これにより、メイン回路スイッチ（図示せず）は、コネクタ嵌合操作位置では、オン状態となる。
【００１１】
次に、レバー１２０をコネクタ嵌合操作位置より第２操作位置までスライド移動する。このスライド移動過程で、双方の信号端子（図示せず）間が徐々に接触し、図１５に示すように、レバー１２０の第２操作位置では接触状態となる。これにより、信号回路スイッチＳＷ２は、レバー１２０の操作完了位置では、オン状態である。
【００１２】
また、電源回路遮断装置１００の電源遮断動作は、レバー１２０を上記と逆操作することによって行う。つまり、第２操作位置のレバー１２０をコネクタ嵌合操作位置までスライド移動し、コネクタ嵌合操作位置から第１操作位置まで回転移動する。
【００１３】
電源回路遮断装置１００は、メイン回路スイッチ（図示せず）と信号回路スイッチＳＷ２が共にオンとなって初めて電源回路（図示せず）を導通状態とする。つまり、レバー１２０が第２操作位置である場合にのみ電源回路が導通状態となり、それ以外の操作位置では電源回路は非導通状態である。
【００１４】
これにより、作業員がレバー１２０が第２操作位置でないため、電源回路が非導通状態であるとする勘違いによる事態を防止する。
【００１５】
また、レバー１２０の第２操作位置からコネクタ嵌合操作位置までがスライド操作であり、コネクタ嵌合操作位置から第１操作位置までが回転操作である。そのため、レバー１２０の第２操作位置から第１操作位置までの操作にタイムラグ、つまり、信号回路スイッチ（図示せず）のオフからメイン回路スイッチ（図示せず）がオフになるまでにタイムラグを確保することができるため、信号回路スイッチ（図示せず）のオフ後の残留電量に起因するスパーク等の不具合が発生しない。
【先行技術文献】
【特許文献】
【００１６】
【特許文献１】特開２００３−１００３８２号公報
【発明の概要】
【発明が解決しようとする課題】
【００１７】
しかしながら、前記従来の電源回路遮断装置１００では、レバー１２０が回転のみならずスライド移動させるため、作業スペースがスライド範囲Ｓの分だけ大型化する。又、金型を含めた構造が複雑化するという問題がある。
【００１８】
そこで、本発明は、前記した課題を解決すべくなされたものであり、作業スペースの縮小化、金型を含めた構造の単純化を図り、且つ、信号回路スイッチのオフ後の残留電量に起因する不具合を防止できる電源回路遮断装置を提供することを目的とする。
【課題を解決するための手段】
【００１９】
請求項１に記載の発明は、第１コネクタハウジングと、前記第１コネクタハウジングに嵌合及び離脱する第２コネクタハウジングと、前記第２コネクタハウジングに回転可能に設けられ、且つ、第１操作位置とコネクタ嵌合操作位置との間の回転によって前記第２コネクタハウジングと前記第１コネクタハウジング間に嵌合力及び離脱力を作用させ、コネクタ嵌合操作位置から第２操作位置まで回転するレバーと、前記第１コネクタハウジングと前記第２コネクタハウジングにそれぞれメイン端子が設けられ、前記レバーの第１操作位置ではオフ状態で、且つ、前記レバーのコネクタ嵌合操作位置及び第２操作位置ではオン状態とされるメイン回路スイッチと、前記第１コネクタハウジングと前記レバーにそれぞれ信号端子が設けられ、前記レバーの第１操作位置及びコネクタ嵌合操作位置ではオフ状態で、且つ、前記レバーの第２操作位置ではオン状態とされる信号回路スイッチと、
前記レバーを第２操作位置でロックする第１ロック部と、前記レバーをコネクタ嵌合操作位置でロックする第２ロック部と、前記第２のロック部のロック状態を解除するロック解除操作部と、前記第２操作位置において前記ロック解除操作部を前記第２ロック部のロック状態の解除方向と同方向に操作すると前記ロック解除操作部に当接することで前記レバーの回動を規制する回動規制部とを備えた電源回路遮断装置である。
【００２０】
請求項２に記載の発明は、請求項１に記載の電源回路遮断装置であって、前記回動規制部は、更に前記レバーの第２操作位置において前記ロック解除操作部を前記第２ロック部のロック状態の解除方向と同方向へ操作した際に前記ロック解除操作部に当接して、前記ロック解除操作部の、前記第２ロック部のロック状態を解除可能な位置であるロック解除位置への移動を阻止するとともに、前記ロック解除操作部の過大変位を防止する過大変位防止片を備え、かつ、前記レバーのコネクタ嵌合操作位置では、前記ロック解除操作部のロック解除位置への移動を許容する電源回路遮断装置である。
【００２１】
請求項３に記載の発明は、請求項２記載の電源回路遮断装置であって、前記ロック解除操作部は、前記第２のコネクタハウジングから突出した弾性アームと、この弾性アームに設けられた係止部とを備えて構成され、前記ロック解除位置との間で変位可能であり、前記第２ロック部は、前記係止部と、前記レバーに設けられた被係止部とで構成されており、前記回動規制部は、前記レバーの前記被係止部に対して前記ロック解除操作部を挟んで反対側に設けられている電源回路遮断装置である。
【発明の効果】
【００２２】
本発明によれば、レバーは、回転操作によって第１操作位置からコネクタ嵌合操作位置を経て第２操作位置まで移動するため、スライドさせない分だけ作業スペースが狭くて済むと共にスライド機構部が必要ない分だけ金型を含めて構造が単純化できる。又、レバーを第２操作位置からコネクタ嵌合操作位置に回転し、レバーのコネクタ嵌合操作位置ではロック解除操作部の操作を行って第２ロック部をロック解除位置に変位させなければレバーを第１操作位置に回転できないため、レバーの第２操作位置から第１操作位置への操作にタイムラグ、つまり、信号回路スイッチのオフからメイン回路スイッチがオフになるまでにタイムラグを確保することができるため、信号回路スイッチのオフ後の残留電量に起因するスパーク等の不具合が発生しない。
【００２３】
さらに、回動規制部２０５により、第１ロック部のロックが簡単には解除できないようになっているので、誤操作によって電源回路遮断装置の回路スイッチがオフ状態になることを回避することができる。
【図面の簡単な説明】
【００２４】
【図１】本発明の実施形態を示し、第１コネクタハウジングと第２コネクタハウジング間が離脱状態である電源回路遮断装置の斜視図である。
【図２】本発明の実施形態を示し、レバーが第１操作位置に位置し、第１コネクタハウジングと第２コネクタハウジング間が仮嵌合状態である電源回路遮断装置の斜視図である。
【図３】本発明の実施形態を示し、レバーが第１操作位置に位置し、第１コネクタハウジングと第２コネクタハウジング間が仮嵌合状態である電源回路遮断装置の側面図である。
【図４】本発明の実施形態を示し、レバーがコネクタ嵌合操作位置に位置し、第１コネクタハウジングと第２コネクタハウジング間が完全嵌合状態である電源回路遮断装置の側面図である。
【図５】本発明の実施形態を示し、レバーがコネクタ嵌合操作位置に位置し、第１コネクタハウジングと第２コネクタハウジング間が完全嵌合状態である電源回路遮断装置の断面図である。
【図６】本発明の実施形態を示し、レバーが第２操作位置に位置し、第１コネクタハウジングと第２コネクタハウジング間が完全嵌合状態である電源回路遮断装置の斜視図である。
【図７】本発明の実施形態を示し、レバーが第２操作位置に位置し、第１コネクタハウジングと第２コネクタハウジング間が完全嵌合状態である電源回路遮断装置の側面図である。
【図８】本発明の実施形態を示し、レバーが第２操作位置に位置し、第１コネクタハウジングと第２コネクタハウジング間が完全嵌合状態である電源回路遮断装置の断面図である。
【図９】本発明の実施形態を示し、回動規制部まわりの構成を示す斜視図である。
【図１０】本発明の実施形態を示し、回動規制部におけるロック解除操作部と過大変位防止片とを示す部分断面図である。
【図１１】本発明の実施形態に係る電源回路遮断装置において、レバーの位置とロック解除操作部の位置とが変化したときにおける、第１のロック部ＬＫ１、第１のロック部ＬＫ２の解除の可能、不可能を示す図である。
【図１２】図１０に対応した図であって、回動規制部の変形例を示す図である。
【図１３】従来例を示し、レバーが第１操作位置に位置する電源回路遮断装置の斜視図である。
【図１４】従来例を示し、レバーがコネクタ嵌合操作位置に位置する電源回路遮断装置の斜視図である。
【図１５】従来例を示し、レバーが第２操作位置に位置する電源回路遮断装置の斜視図である。
【発明を実施するための形態】
【００２５】
以下、本発明の実施形態を図面に基づいて説明する。
【００２６】
図１〜図１０は本発明の実施形態を示す。図１〜図１０に示すように、電源回路遮断装置１Ａは、第１コネクタハウジング１０と、第１コネクタハウジング１０に嵌合及び離脱する第２コネクタハウジング２０と、第２コネクタハウジング２０に回転可能に設けられ、且つ、回転によって第２コネクタハウジング２０と第１コネクタハウジング１０間に嵌合力や離脱力を作用させるレバー３０とを備えている。
【００２７】
第１コネクタハウジング１０の両側面には、一対のカムピン１１が突設されている。第１コネクタハウジング１０は、上面が開放されたコネクタ嵌合室１０ａを有する。コネクタ嵌合室１０ａ内に内部端子フード部１２が二箇所設けられている。この各内部端子フード部１２内に一方側のメイン端子１３がそれぞれ配置されている。この各メイン端子１３は、雌端子である。
【００２８】
第１コネクタハウジング１０には、コネクタ嵌合室１０ａの外側に外部端子フード部１５が設けられている。この外部端子フード部１５は、上方が開口している。外部端子フード部１５内には、一方側の端子である信号端子１６が２つ配置されている。この２つの信号端子１６の詳しい構成は、下記する。
【００２９】
外部端子フード部１５の両側壁には、第１ロック部ＬＫ１の第１被係止部１７が突設されている。第１ロック部ＬＫ１は、第１被係止部１７と下記する第１係止部３７より構成され、レバー３０を第２操作位置でロックする。第１被係止部１７は、外部端子フード部１５の側壁のスリット１５ａによって撓み変形容易になっている。
【００３０】
第２コネクタハウジング２０は、内部にヒューズ２が収容されたハウジング本体２１と、このハウジング本体２１の上面に装着されたカバー２２とを備えている。ハウジング本体２１は、第１コネクタハウジング１０のコネクタ嵌合室１０ａに嵌合・離脱できる寸法・形態に形成されている。ハウジング本体２１の下部には、他方側のメイン端子２３が２つ設けられている。この各メイン端子２３は、雄端子である。各メイン端子２３は、ハウジング本体２１より下方に突出している。２つのメイン端子２３は、ヒューズ２を介して接続されている。第１コネクタハウジング１０側の２つのメイン端子１３と第２コネクタハウジング２０側の２つのメイン端子２３によって、メイン回路スイッチＳＷ１が構成されている。
【００３１】
ハウジング本体２１の両側面には、一対の回転支持軸２４が突設されている。ハウジング本体２１の両側面には、一対の係止突部２５が設けられている。各係止突部２５は、高さの低い円弧状突起である。
【００３２】
ハウジング本体２１には、第２ロック部ＬＫ２の第２係止部２６が突設されている。第２ロック部ＬＫ２は、第２係止部２６と下記する第２被係止部４１より構成され、レバー３０をコネクタ嵌合操作位置でロックする。第２係止部２６は、ロック解除操作部２７に設けられている。ロック解除操作部２７は、作業者の押圧力で撓み変形可能である。ロック解除操作部２７及び第２係止部２６の後側には、弾性変形するための弾性変形用スペース２８が形成されている。これにより、ロック解除阻止部３８がロック解除位置である後方に位置しない時には、ロック解除操作部２７を作業者の指等によって押圧操作して第２係止部２６をロック解除位置に移動可能である。
【００３３】
すなわち、図５の矢印ＡＲ１の方向にロック解除操作部２７（第２係止部２６）を押して弾性変形させ（変形位置まで弾性変形させ）第２係止部２６を第２被係止部４１から離すことで、第２ロック部ＬＫ２のロックを解除することができるようになっている。
【００３４】
レバー３０は、一対のアームプレート部３１と、一対のアームプレート部３１間を回転先端側でそれぞれ連結する連結部３２及び操作部３３とを備えている。一対のアームプレート部３１には、一対の回転受け部３４が設けられている。この一対の回転受け部３４に第２コネクタハウジング２０の一対の回転支持軸２４が軸支されている。これにより、レバー３０は、第２コネクタハウジング２０に回転自在に支持されている。一対のアームプレート部３１には、一対のカム溝３５が形成されている。この一対のカム溝３５に第１コネクタハウジング１０のカムピン１１が挿入される。
【００３５】
カム溝３５は、図４及び図７に示すように、カムピン１１の進入が可能な進入ストレート部３５ａと、この進入ストレート部３５ａに連通し、回転受け部３４の中心からの距離が徐々に変化する曲線部３５ｂと、曲線部３５ｂに連通し、回転受け部３４の中心からの距離が一定である円弧部３５ｃとを有する。
【００３６】
レバー３０は、カム溝３５内をカムピン１１が移動しつつ第１操作位置とコネクタ嵌合操作位置を経た第２操作位置との間を回転する。第１操作位置では、進入ストレート部３５ａにカムピン１１が位置する。コネクタ嵌合操作位置では、曲線部３５ｂと円弧部３５ｃの境界位置がカムピン１１が位置する。第２操作位置では、円弧部３５ｃの最奥位置にカムピン１１が位置する。
【００３７】
つまり、レバー３０の第１操作位置とコネクタ嵌合操作位置の回転過程では、カムピン１１が曲線部３５ｂを移動し、第１コネクタハウジング１０と第２コネクタハウジング２０間に嵌合力又は離脱力が作用し、第１コネクタハウジング１０と第２コネクタハウジング２０間が嵌合方向に、又は、離脱方向に移動する。レバー３０がコネクタ嵌合操作位置と第２操作位置の回転過程では、カムピン１１が円弧部３５ｃを移動し、第１コネクタハウジング１０と第２コネクタハウジング２０間に嵌合力又は離脱力が作用せず、第１コネクタハウジング１０と第２コネクタハウジング２０間が嵌合方向に、又は、離脱方向に移動することはない。
【００３８】
一対のアームプレート部３１には、２箇所に位置保持孔３６が設けられている。レバー３０は、第１操作位置と第２操作位置で位置保持孔３６のいずれか一方に係止突部２５が係止される。これにより、レバー３０は、第１操作位置と第２操作位置に位置保持力によって位置決めされる。
【００３９】
一対のアームプレート部３１の回転先端側で、且つ、下方位置には、第１ロック部ＬＫ１の一対の第１係止部３７が設けられている。一対の第１係止部３７は、作業者がレバー３０に作用させる回転力でロック解除が可能に形成されている。連結部３２には、板状のロック解除阻止部３８が設けられている。
【００４０】
レバー操作部３３の下部には、フード部３９が設けられている。フード部３９は、下方に開口している。フード部３９内には、他方側の端子である信号端子４０が２つ配置されている。この２つの信号端子４０の詳しい構成は、下記する。第１コネクタハウジング１０側の２つの信号端子１６とレバー３０側の２つの信号端子４０によって信号回路スイッチＳＷ１が構成されている。
【００４１】
レバー操作部３３には、第２ロック部ＬＫ２の第２被係止部４１が設けられている。
【００４２】
また、電源回路遮断装置１Ａには、図８〜図１０で示すように、回動規制部２０５が設けられている。回動規制部２０５は、レバー３０が第２操作位置に位置しているときに、ロック解除操作部２７を第２ロック部ＬＫ２のロック状態の解除方向と同方向（第２ロック部ＬＫ２のロックを解除する方向と同方向）に操作すると、ロック解除操作部２７に当接することで、レバー３０の回動を規制するようになっている。これにより、レバー３０が第２の操作位置に位置しているときに、第１のロック部ＬＫ１のロックの解除が阻止されるようになっている。
【００４３】
回動規制部２０５は、更にレバー３０の第２操作位置において（レバー３０が第２操作位置に位置している状態において）、ロック解除操作部２７を第２ロック部ＬＫ２のロック状態の解除方向と同方向へ操作した際に、ロック解除操作部２７に当接してロック解除操作部２７のロック解除位置（第２ロック部ＬＫ２のロックを解除可能な位置）への移動を阻止するようになっている。
【００４４】
また、回動規制部２０５は、過大変位を防止する過大変位防止片（ロック解除阻止部）３８を備えており、かつ、レバー３０のコネクタ嵌合操作位置では（レバー３０がコネクタ嵌合操作位置に位置している状態では）、回動規制部２０５や過大変位防止片３８は、ロック解除操作部２７のロック解除位置（第２ロック部ＬＫ２のロックを解除可能な位置）への移動を許容するようになっている。
【００４５】
ロック解除操作部２７は、第２のコネクタハウジング２０から突出した弾性アーム２０３と、この弾性アーム２０３に設けられた係止部２６とを備えて構成されている。そして、ロック解除操作部２７は、弾性変形してない常態位置とロック解除位置（第２ロック部ＬＫ２のロックを解除可能な位置）との間で変位可能（弾性変形可能）になっている。
【００４６】
第２ロック部ＬＫは、係止部２６と、レバー３０に設けられた被係止部４１とで構成されている。回動規制部２０５は、レバー３０の被係止部４１に対してロック解除操作部２７を挟んで反対側に設けられている。
【００４７】
ロック解除操作部２７や回動規制部２０５等についてさらに詳しく説明する。
【００４８】
ロック解除操作部２７は、第２コネクタハウジング２０（ハウジング本体２１）から突出し、常態位置（外力が加わっておらず変形していない位置）と変形位置（人の指の押圧力で変形した位置；過大変位した位置）との間で弾性変形する突起（第２コネクタハウジング本体２１と一体成形され第２コネクタハウジング本体２１から長く突出している弾性アーム）２０３を備えて構成されている。
【００４９】
第２ロック部ＬＫ２は、前述したように、ロック解除操作部２７に設けられた（形成された）第２係止部２６と、レバー３０（レバー操作部３３）に設けられた（形成された）第２被係止部４１とで構成されている。
【００５０】
回動規制部２０５やロック解除阻止部３８は、レバー３０（レバー３０の連結部）に一体で設けられている。
【００５１】
また、レバー３０が第２操作位置に位置し第１ロック部ＬＫ１がロック状態になっているときに、ロック解除操作部２７が人の指の押圧力で前記常態位置と前記変形位置との間の位置である中間変形位置（図１０（ｂ）参照）まで弾性変形して弾性アーム２０３と回動規制部２０５とがお互いに係合することで（図１０（ｂ）参照）、第１のロック部ＬＫ１のロック解除位置への移動を阻止するように構成されている。
【００５２】
さらに説明すると、弾性アーム２０３には、貫通孔２０７が形成されている。回動規制部２０５には、貫通孔２０７に入り込む突部２０９で構成されている。
【００５３】
そして、常態位置にある（弾性変形していない）ロック解除操作部２７（図１０（ａ）参照）が、人の指で図１０（ａ）の矢印ＡＲ２の方向に押されて弾性変形し中間変形位置（図１０（ｂ）参照）に達すると、突部２０９が貫通孔２０７に入り込んで、突部２０９が貫通孔２０７の縁に接触し、第１のロック部ＬＫ１が解除できないようになる（図１０（ｂ）の矢印ＡＲ４の方向にレバー３０が回動できないようになる）。
【００５４】
なお、図１０（ａ）で示す常態位置では、レバー３０を矢印ＡＲ３の方向に回動することができるので、第１のロック部ＬＫ１のロックを解除することができる。
【００５５】
また、ロック解除操作部２７が上述した変形位置に位置している状態では、ロック解除操作部２７は、図１０（ｂ）で示す位置よりもさらに右方向に大きく変形した位置に位置している。したがって、ロック解除操作部２７が変形位置（第２のロック部ＬＫ２を解除可能な位置）まで変形するには、レバー３０が図５に示すコネクタ嵌合操作位置し、ロック解除阻止部３８が、ロック解除操作部２７と干渉しないようになっていることが必要である。
【００５６】
なお、第１ロック部解除阻止部２０１において、ロック解除操作部２７が中間変形位置まで弾性変形したときに、この弾性変形を保持する保持部（中間変形位置維持部）を設けてもよい。
【００５７】
たとえば、図１２（ａ）で示すように、貫通孔２０７に小さい凸部２１１を設け、突部２０９に小さい凸部２１３を設け、ロック解除操作部２７を矢印ＡＲ５の方向押して図１２（ｂ）で示すように弾性変形させたときに、凸部２１１と凸部２１３とがお互いに係合し、ロック解除操作部２７が図１０（ｂ）のＡＲ６の方向に容易に復元しないようにしてもよい。
【００５８】
次に、電源回路遮断装置１Ａに関わる電源回路系を簡単に説明する。電源部（図示せず）と負荷部（図示せず）の間には、メイン回路スイッチＳＷ１と、信号回路スイッチＳＷ２によってオン・オフされるリレー（図示せず）が直列接続されている。従って、メイン回路スイッチＳＷ１と信号回路スイッチＳＷ２が共にオン状態となって、電源回路はオン状態となる。それ以外のスイッチ状態では電源回路はオフ状態である。
【００５９】
上記構成において、電源回路遮断装置１Ａによる電源回路の導通動作を説明する。図１に示すように、レバー３０を第１操作位置とした第２コネクタハウジング２０を第１コネクタハウジング１０のコネクタ嵌合室１０ａに位置合わせする。そして、図２及び図３に示すように、第２コネクタハウジング２０を第１コネクタハウジング１０のコネクタ嵌合室１０ａに挿入すると共に、レバー３０のカム溝３５の進入ストレート部３５ａにカムピン１１を挿入する。双方のコネクタハウジング１０，２０間は、コネクタ仮嵌合状態となる。
【００６０】
次に、レバー３０を第１操作位置から第２操作位置側に回転する。すると、カムピン１１がカム溝３５内を移動し、第２コネクタハウジング２０と第１コネクタハウジング１０間に嵌合力が作用して第２コネクタハウジング２０が第１コネクタハウジング１０のコネクタ嵌合室１０ａに徐々に挿入される。
【００６１】
レバー３０をコネクタ嵌合操作位置まで回転すると、図４及び図５に示すように、第２被係止部４１が第２係止部２６を乗り越え、第２ロック部ＬＫ２がロック位置となり、第１コネクタハウジング１０と第２コネクタハウジング２０間が完全嵌合状態となる。第１操作位置からコネクタ嵌合操作位置までの過程で、双方のメイン端子１３，２３間は接触を開始し、コネクタ嵌合操作位置では接触が完了する。レバー３０のコネクタ嵌合操作位置では、メイン回路スイッチＳＷ１はオン状態となる。
【００６２】
レバー３０をコネクタ嵌合操作位置から第２操作位置まで回転すると、図６〜図８に示すように、ロック解除阻止部３８が弾性変形用スペース２８に入り込むと共に、第１係止部３７が第１被係止部１７を乗り越え、第１ロック部ＬＫ１がロック位置となる。レバー３０のコネクタ嵌合操作位置から第２操作位置までの回転過程では、双方の信号端子１６，４０間は接触を開始し、第２操作位置では接触が完了する。レバー３０の第２操作位置では、信号回路スイッチＳＷ２は、オン状態となる。つまり、電源回路は、レバー３０のコネクタ嵌合操作位置では非導通であり、レバー３０が第２操作位置になって初めて導通状態となる。
【００６３】
次に、電源回路遮断装置１Ａによる電源遮断動作を説明する。図６〜図８に示すように、レバー３０が第２操作位置に位置する状態にあって、レバー３０を第１係止部３７と第１被係止部１７間のロック力より強い回転力で第１操作位置側に回転する。すると、第１係止部３７と第１被係止部１７間のロックが外れてレバー３０の回転が許容される。これにより、図４及び図５に示すように、レバー３０をコネクタ完全嵌合操作位置まで回転する。レバー３０をコネクタ完全嵌合操作位置まで回転すると、レバー３０の第２被係止部４１が第２係止部２６に係止され、第２ロック部ＬＫ２がロック状態となる。これで、レバー３０の回転が一旦阻止される。レバー３０の第２操作位置からコネクタ嵌合操作位置までの回転過程では、双方の信号端子１６，４０間が徐々に接触しなくなり、レバー３０のコネクタ嵌合操作位置では完全に非接触となる。従って、レバー３０のコネクタ完全嵌合操作位置では、信号回路スイッチＳＷ２は、オフ状態となる。電源回路は、レバー３０のコネクタ嵌合操作位置で非導通となる。
【００６４】
又、レバー３０の第２操作位置からコネクタ嵌合操作位置までの回転によって、レバー３０のロック解除阻止部３８は、第１コネクタハウジング１０の弾性変形用スペース２８から抜け出す。
【００６５】
次に、ロック解除操作部２７を弾性変形用スペース２８を利用して弾性変形させ、第２ロック部ＬＫ２の第２係止部２６をロック解除位置に変位させ、第２被係止部４１とのロックを解除する。これで、レバー３０の第１操作位置側への回転が許容され、レバー３０を第１操作位置まで回転する。レバー３０のコネクタ嵌合位置から第１操作位置への回転では、カム溝３５とカムピン１１によって、第２コネクタハウジング２０と第１コネクタハウジング１０間に離脱力が作用して第２コネクタハウジング２０が第１コネクタハウジング１０のコネクタ嵌合室１０ａから徐々に引き出される。
【００６６】
図２及び図３に示すように、レバー３０の第１操作位置では、第１コネクタハウジング１０と第２コネクタハウジング２０間は、仮嵌合状態となる。双方のメイン端子１３，２３間は、コネクタ嵌合操作位置から第１操作位置までの過程で徐々に接触しなくなり、第１操作位置では完全に非接触状態となる。従って、レバー３０の第１操作位置では、メイン回路スイッチＳＷ１はオフ状態となる。
【００６７】
ここで、電源回路遮断装置１Ａにおける回動規制部２０５等の動作について説明する。
【００６８】
まず、図８、図１０（ａ）、図９で示すように、レバー３０が第２操作位置に位置しロック解除操作部２７が常態位置に位置しているものとする。この状態で、図１０（ａ）に矢印ＡＲ２の方向にロック解除操作部２７を押すと、図１０（ｂ）で示すうように、ロック解除操作部２７が弾性変形してロック解除阻止部（過大変位防止片）３８に当接し中間変形位置に位置する。
【００６９】
ロック解除操作部２７が中間変形位置に位置すると、弾性アーム２０３と回動規制部２０５とが係合し、レバー３０が矢印ＡＲ４の方向に回動することができなくなり、第１のロック部ＬＫ１のロックを解除することができなくなる。
【００７０】
第１のロック部ＬＫ１のロックを解除するためには、ロック解除操作部２７を押すことを止めて、ロック解除操作部２７を復元させて、図１０（ａ）で示すうようにすればよい。
【００７１】
ここで、レバー３０の位置とロック解除操作部２７の位置との組み合わせにおける、第１にロック部ＬＫ１と第２のロック部ＬＫ２との解除の可否等について示すと、図１１のようになる。
【００７２】
以上説明したように、電源回路遮断装置１Ａは、第１コネクタハウジング１０と、第２コネクタハウジング２０と、第２コネクタハウジング２０に回転可能に設けられたレバー３０と、第１コネクタハウジング１０と第２コネクタハウジング２０にそれぞれメイン端子１３、２３が設けられ、レバー３０の第１操作位置ではオフ状態で、且つ、レバー３０のコネクタ嵌合操作位置及び第２操作位置ではオン状態とされるメイン回路スイッチＳＷ１と、第１コネクタハウジング１０とレバー３０にそれぞれ信号端子１６、４０が設けられ、レバー３０の第１操作位置及びコネクタ嵌合操作位置ではオフ状態で、且つ、レバー３０の第２操作位置ではオン状態とされる信号回路スイッチＳＷ２と、レバー３０を第２操作位置でロックする第１ロックＬＫ１と、レバー３０をコネクタ嵌合操作位置でロックする第２ロック部ＬＫ２と、第２ロック部ＬＫ２のロック状態を操作によって解除できるロック解除操作部２７とを備えている。
【００７３】
従って、レバー３０は、回転操作によって第１操作位置からコネクタ嵌合操作位置を経て第２操作位置まで移動するため、スライドさせない分だけ作業スペースが狭くて済むと共にスライド機構部が必要ない分だけ金型を含めて構造が単純化できる。又、レバー３０を第２操作位置からコネクタ嵌合操作位置に回転し、レバー３０のコネクタ嵌合操作位置ではロック解除操作部２７の操作を行って第２ロック部ＬＫ２をロック解除位置に変位させなければレバー３０を第１操作位置に回転できないため、レバー３０の第２操作位置から第１操作位置への操作にタイムラグ、つまり、信号回路スイッチＳＷ２のオフからメイン回路スイッチＳＷ１がオフになるまでにタイムラグを確保することができるため、信号回路スイッチＳＷ２のオフ後における電源回路の残留電量に起因するスパーク等の不具合が発生しない。
【００７４】
電源回路遮断装置１Ａは、レバー３０の第２操作位置では第２ロック部ＬＫ２のロック解除位置への移動を阻止し、レバー３０のコネクタ嵌合操作位置では第２ロック部ＬＫ２のロック解除位置への移動を許容するロック解除阻止部３８を有する。従って、レバー３０を第２操作位置からコネクタ嵌合操作位置に回転した後でなければ、第２係止部２６をロック解除位置に移動できないので、レバー３０のコネクタ嵌合操作位置では第２ロック部ＬＫ２の第２係止部２６をロック解除位置に移動する作業が入り、レバー３０の第２操作位置から第１操作位置への操作に確実にタイムラグ、つまり、信号回路スイッチＳＷ２のオフからメイン回路スイッチＳＷ１がオフになるまでに確実にタイムラグを確保することができるため、信号回路スイッチＳＷ２のオフ後における電源回路の残留電量に起因するスパーク等の不具合が確実に発生しないようにできる。
【００７５】
レバー３０は、第１操作位置とコネクタ嵌合操作位置との間の回転によって前記第２コネクタハウジング２０と第１コネクタハウジング１０間に嵌合力及び及び離脱力を作用させ、コネクタ嵌合操作位置と第２操作位置との間の回転によって第２コネクタハウジング２０と第１コネクタハウジング１０間に嵌合力及び及び離脱力を作用させないよう構成されている。従って、レバー３０の第２操作位置からコネクタ嵌合操作位置までの回転過程では、一対のメイン端子１３，２３間が全く移動せず、信号回路スイッチＳＷ２がオフとなるようにカム溝３５が設定されており、電源回路がオフ状態となった後のレバー３０のコネクタ嵌合操作位置から第１操作位置の回転過程で初めてメイン回路スイッチＳＷ１の一対のメイン端子１３，２３間が移動する。従って、メイン回路スイッチＳＷ１と信号回路スイッチＳＷ２が共にオン、つまり、電源回路が導通している時に、メイン回路スイッチＳＷ１のメイン端子１３，２３間が移動することによる不具合を防止できる。
【００７６】
第１ロック部ＬＫ１は、作業者がレバー３０に作用させる回転力でロック解除が可能であり、第２ロック部ＬＫ２は、作業者の押圧力でロック解除が可能である。従って、作業者は、レバー３０の第１操作位置から第２操作位置までの操作を工具・治具等を使うことなしに行うことができる。
【００７７】
また、電源回路遮断装置１Ａによれば、回動規制部２０５により、第１ロック部ＬＫ１のロックが簡単には解除できないようになっているので、誤操作によって電源回路遮断装置１Ａの回路スイッチＳＷ１，ＳＷ２がオフ状態になることを回避することができる。
【００７８】
さらに、電源回路遮断装置１Ａによれば、回動規制部２０５を設けたことで、第２ロック部ＬＫ２のロック状態をロック解除操作部２７の操作によって解除しようとしたときに、第１のロック部ＬＫ１のロック解除位置への移動を阻止することができる。つまり、第１のロック部ＬＫ１のロック解除よりも先に第２のロック部ＬＫ２のロック解除をしようとする誤操作をしても、第２のロック部ＬＫ２のみならず、第１のロック部ＬＫ１の解除もすることができないので、誤操作によって、電源回路遮断装置１Ａの回路スイッチＳＷ１，ＳＷ２がオフ状態になることを一層確実に回避することができる。
【符号の説明】
【００７９】
１Ａ  電源回路遮断装置
１０  第１コネクタハウジング
１３，２３  メイン端子
１６，４０  信号端子
２０  第２コネクタハウジング
２６  係止部
２７  ロック解除操作部
３０  レバー
３８  過大変位防止片（ロック解除阻止部）
４１  被係止部
２０３  弾性アーム
２０５  回動規制部
ＬＫ１  第１ロック部
ＬＫ２  第２ロック部
ＳＷ１  メイン回路スイッチ
ＳＷ２  信号回路スイッチ
【図１】
0005872824.tif 000002
【図２】
0005872824.tif 000003
【図３】
0005872824.tif 000004
【図４】
0005872824.tif 000005
【図５】
0005872824.tif 000006
【図６】
0005872824.tif 000007
【図７】
0005872824.tif 000008
【図８】
0005872824.tif 000009
【図９】
0005872824.tif 000010
【図１０】
0005872824.tif 000011
【図１１】
0005872824.tif 000012
【図１２】
0005872824.tif 000013
【図１３】
0005872824.tif 000014
【図１４】
0005872824.tif 000015
【図１５】
0005872824.tif 000016